(57)【要約】      （修正有）【課題】運動中でも入浴中でも、暑い環境の中でも寒い環境の中でも、装着でき、熱がこもらず、新型コロナウイルス対策での飛沫感染予防ができ、熱中症予防や凍傷予防ができるマウスシールドを提供する。【解決手段】マウスシールドは、クリアファイルの一部を長方形にカットしたものが土台となり、土台の下部にスポンジに両面テープがついた物を貼り付け、土台の４つの角は丸くイチョウ型にカットし、土台の左右の端に穴を２つあけ、穴に糸ゴムを通す。【選択図】図１
0003229387.tif 000002
【実用新案登録請求の範囲】
【請求項１】
クリアファイルの一部を長方形にカットした、シールドの土台の左右の端に、穴を２つ空けてゴムをつける。シールド土台の下部に、スポンジに両面テープがついた物（すき間テープ）を３か所に貼り付ける。シールド土台の４つの角は丸くイチョウ型にカットし角をなくしたマウスシールド。
【考案の詳細な説明】
【技術分野】
【０００１】本発明は、新型コロナウイルス対策での飛沫感染予防及び熱中症予防ができるマウスシールドを、挟みが使える子供から高齢者の世界中の人が、簡単に誰にでも作成できる物を考案した。
【背景技術】
【０００２】  運動中や入浴中など暑い環境の中でも、また逆に寒い環境でも、すべての環境に適応した新型コロナウイルス対策の飛沫感染予防と熱中症予防対策と凍傷予防対策をできる物を考案した。
【考案の概要】
【考案が解決しようとする課題】    運動中や入浴中などの暑い環境の中でのマスクの着用は、熱中症の危険性があるため、マスクを外すように言われているが、それでは、新型コロナウイルス対策の飛沫感染予防をする事ができず、新型コロナウイルス感染拡大を招いてしまう。
【課題を解決するための手段】    運動中でも入浴中でも、暑い環境の中でも寒い環境の中でも、装着ができる、マウスシールドを作成し、口元や鼻元にすき間を作る事により、熱がこもらず、新型コロナウイルス対策での飛沫感染予防ができ、尚且つ、熱中症予防や凍傷予防をする事ができる構造とした。
【考案の効果】・マウスシールドαは、マスクよりも熱がこもらず、運動中でも入浴中でも暑い環境の中でも装着ができる為、新型コロナウイルス対策での飛沫感染予防ができ、尚且つ、熱中症予防をする事ができる
・シールド土台の３つの場所にスポンジを接着させる事で、シールドと顔の表面にすき間ができ、外気熱や吐息の熱を効率よく放出する事ができ、シールド内に熱がこもらず、顔の温度が上昇する事がないため、熱中症予防をする事ができる。
・スポンジ及び耳ゴムを水でぬらす事により更に冷却効果が発生し、顔の温度や耳裏の血管を冷やす事ができる事や、２か所のすき間換気部がある事により、吐息の風や外気の風が２か所の換気部に集中し下へ風を放出する事ができ、頸動脈に風を当てる事ができ、体感温度を下げる事ができる事や、結果的に頸動脈の血管を冷却させる事ができ体温を下げる効果がある為、熱中症の予防効果がある。
・寒い冬場の環境では、マウスシールドαで、冷たい風が顔に直接当たる事がない為、凍傷の予防をする効果があります。従ってどんな環境でも装着ができる効果があります。
・３つの場所にスポンジを接着させる事により、土台のシールドが顔に直接触れる事がないため、マスクのような、マスクかぶれを発症する恐れもなく、皮膚が弱い人でも、人体への影響が少なく、新型コロナウイルス対策での飛沫感染予防をする事ができ、運動中でも入浴中でも新型コロナウイルス感染拡大防止をする効果があります。
・マスクを男性が装着すると、髭がこすれる事で、使用期間が長くなるとマスク内側が、ケバケバほつれてしまい肌にかゆみが出たりしますが、このマウスシールドはスポンジ部が顎に接触するだけなので、髭が伸びても全く問題が出ない構造効果があります。
・極めて簡単な構造にする事により誰にでも作成する事ができます。ハサミを使える幼稚園生から高齢者の人、日本国に限らず諸外国や、他民族や他部族や世界中の人間が材料とハサミと穴をあける道具（パンチや千枚通し等）があれば、誰にでも安価で作る事ができる方法となっております。簡単な構造にする事で、どんな人でも見本と材料があれば作る事ができる効果があります。
・簡単に作る事ができ、尚且つ水洗いや洗剤で洗う事ができるので、何度でも、繰り返し使用する事ができ、万が一スポンジ部が壊れても、スポンジの材料を、ハサミで１回切れば修復する事ができ、修理もハサミを使える世界中の人が簡単に直す事ができます。
・新型コロナウイルス感染対策を世界中の人に実施してもらうには、安価で簡単に誰にでも作れる物でなければ、新型コロナウイルス対策を拡散させる事はできません。難しい構造や人の加工が多いと、その分、高価な物となってしまう為、その為には、特に簡単な構造を発明し相乗効果をする事ができます。
・図面ではマウスシールドαの基本的な大人の人の寸法を記載しましたが、基本構造（基本構造とは、長方形の土台シールドに、中心部より下側の左右の端に２か所の穴をあけ、ゴムを通し、シールドの中心部より下側に３つの場所にスポンジを両面テープで接着させ、土台シールドの４つの角を丸くする事）さえ守れば、すべての人世界中の人の体系に合わす事ができる物となっており全世界の人間に対応できる効果があります。
また、基本構造によりすべての機能（新型コロナウイルス感染での飛沫感染予防、熱中症予防、凍傷予防）を果たす効果があります。
・図面においては、基本的な大人の寸法となっておりますが、クリアファイルである為、ハサミで簡単に切る事ができる為、ハサミが使える子供から高齢者が、世界中の人間の体形に合わせて、痩せていても、太っていてもクリアファイルのシールド土台を適切な大きさに合わせる事で、全世界の人のマウスシールドを、どんな人でも作る事ができる構造効果があります。
・貼り付けるスポンジを丸く切ったり色々な形に切り、自分好みのスポンジの形を、３つの場所に貼り付けて楽しむ遊楽効果及びリラックス効果があります。
・クリアファイルの色や透明色によりさまざまな効果があります。
・クリアファイルには色々な色がある為、世界中の人の好みに合わせてシールドの土台の色を選択したり、シールド表面にシール等を貼る事ができる遊楽効果やリラックス効果があります。
・シールドの土台表面にホワイトボードマジックで、絵をかいたり（動物のかわいい口や、国旗、ロゴでもなんでも好きな物）、消したりする事ができ、何度でも書き直しもでき繰り返し楽しむ事ができる遊楽効果及びリラックス効果があります。
・透明のマウスシールドαにすれば、スポンジ部しか見えない為、マウスシールドを装着している感覚がなくなり、世界中のマスクの嫌いな人や国でも、抵抗感がなく、気軽に安価に簡単に作成し装着する事ができるので、世界中の人の新型コロナウイルス対策の飛沫感染予防効果があります。また、マスクでは顔の表情と声質しかわからないので、他者に対してトラブルを高めてしまう恐れがあるが、透明色であると、相手の顔の表情が分かる為、他者に対して平和的な交流をすることができる。
【図面の簡単な説明】
【図１】本考案のマウスシールドαの一実施例を示す正面図
【図２】本考案のマウスシールドαの一実施例を示す上部からの側面図
【図３】本考案のマウスシールドαの一実施例を示す正面図２種類目
【考案を実施するための形態】
【実施例１】施設や病院で、入所入院患者の入浴介助を行う時に、新型コロナウイルス対策で、マスクを着用しているが、浴室内は湿度と湯熱と蒸気により入浴介助をする職員が、熱中症になってしまう可能性がある為、マウスシールドαを着用する事により、熱中症予防及び、新型コロナウイルス対策の飛沫感染予防をする事ができる。
【実施例２】運動中では、熱中症予防の為、マスクを外すように言われているが、新型コロナウイルス感染において、マスクを外すと飛沫感染の可能性が出てしまう為、マウスシールドαを装着し、運動中でも暑い環境の中でも、熱中症予防及び、新型コロナウイルス対策の飛沫感染予防をする事ができる。
【実施例３】透明の０マウスシールドαであれば、マスクのような装着感がないため、世界中のマスクの嫌いな人や国や地域でも装着する事ができ、新型コロナウイルス対策の飛沫感染予防、熱中症予防、凍傷予防をする事ができる。
【実施例４】マウスシールドαの基本構造を守った形で、大きさを自由に変える事ができる為、子供から高齢者まで世界中の人の体形に合わせて簡単に作成する事ができる為、新型コロナウイルス対策の飛沫感染予防、熱中症予防、凍傷予防をする事ができる。。
【産業上の利用可能性】
【実施例】クリアファイルと両面テープ付きスポンジ（すき間テープ等）と耳ゴムにて簡単に誰でも作成する事ができる。
【符号の説明】０１．クリアファイルの一部
０２．両面テープ付きスポンジ（すき間テープ等）
０３．耳ゴム
【図１】
0003229387.tif 000003
【図２】
0003229387.tif 000004
【図３】
0003229387.tif 000005
【手続補正書】
【提出日】令和2年8月27日(2020.8.27)
【手続補正１】
【補正対象書類名】実用新案登録請求の範囲
【補正対象項目名】全文
【補正方法】変更
【補正の内容】
【実用新案登録請求の範囲】
【請求項１】
クリアファイルの一部を長方形にカットしたものが土台となり、この土台の下部には、スポンジに両面テープがついた物を貼り付け、土台の４つの角は丸くイチョウ型にカットし角をなくし、土台の左右の端には穴を２つあけ、その穴に糸ゴムを通したもの。